(57)【特許請求の範囲】
【請求項１】
第１スライド部材と、
第２スライド部材と、
前記第１スライド部材と前記第２スライド部材との間に設けられ、前記第１スライド部材と前記第２スライド部材とを連結するとともに、前記第２スライド部材に対する前記第１スライド部材の縦方向及び横方向のスライド移動をガイドするガイド部と、を含み、
前記ガイド部は、
前記第１スライド部材に設けられる第１ガイドレールと、
前記第２スライド部材に設けられる第２ガイドレールと、
前記第１スライド部材に設けられ、前記第２ガイドレールにスライド移動可能に挿入される第１ガイド部材と、
前記第２スライド部材に設けられ、前記第１ガイドレールにスライド移動可能に挿入される第２ガイド部材と、
を含んで構成され、
前記第１ガイド部材、前記第２ガイド部材は、それぞれ前記第１スライド部材の表面、前記第２スライド部材の表面に突出形成され、前記縦方向及び前記横方向に延びることを特徴とするスライドモジュール。
【請求項２】
前記第１ガイドレールは、前記第１スライド部材の前記縦方向の端部付近及び前記横方向の端部付近に設けられ、
前記第２ガイドレールは、前記第２スライド部材の前記縦方向の端部付近及び前記横方向の端部付近に設けられることを特徴とする請求項１に記載のスライドモジュール。
【請求項３】
前記第１ガイドレールは、前記第１スライド部材の前記縦方向及び前記横方向の端部のそれぞれから該第１スライド部材の表面に対して垂直に延びてその先端部が内側に折り曲げられたような形状を有し、
前記第２ガイドレールは、前記第２スライド部材の前記縦方向及び前記横方向の端部のそれぞれから該第２スライド部材の表面に対して垂直に延びてその先端部が内側に折り曲げられたような形状を有することを特徴とする請求項２に記載のスライドモジュール。
【請求項４】
前記第１ガイド部材、前記第２ガイド部材は、それぞれ前記第１スライド部材、前記第２スライド部材の表面から垂直に延びてその先端部が外側に折り曲げられたような形状を有することを特徴とする請求項１に記載のスライドモジュール。
【請求項５】
前記第１スライド部材は、該第１スライド部材が前記第２スライド部材に対して横方向にスライド移動するときに、前記第２ガイドレールの前記第２スライド部材の横方向の端部付近に形成された部分に当接して該第１スライド部材が前記第２スライド部材に対して縦方向にスライド移動することを防止する支持突起を有することを特徴とする請求項１に記載のスライドモジュール。
【請求項６】
前記支持突起は、前記第１ガイド部材から所定間隔をおいて形成され、前記第１ガイド部材の縦方向に延びる部分を延長させた位置に配置されることを特徴とする請求項５に記載のスライドモジュール。
【請求項７】
第１本体と、第２本体と、前記第１本体を前記第２本体に対してスライド移動可能に連結するスライドモジュールと、を備え、
前記スライドモジュールは、
前記第１本体に固定される第１スライド部材と、
前記第２本体に固定される第２スライド部材と、
前記第１スライド部材と前記第２スライド部材との間に設けられ、前記第１スライド部材と前記第２スライド部材とを連結するとともに、前記第２スライド部材に対する前記第１スライド部材の縦方向及び横方向のスライド移動をガイドするガイド部と、を含み、
前記ガイド部は、
前記第１スライド部材に設けられ、前記縦方向の延びる第１縦レールと前記横方向に延びる第１横レールとを有する第１ガイドレールと、
前記第２スライド部材に設けられ、前記縦方向に延びる第２縦レールと前記横方向に延びる第２横レールとを有する第２ガイドレールと、
前記第１スライド部材に設けられ、前記第２ガイドレールにスライド移動可能に挿入される第１ガイド部材と、
前記第２スライド部材に設けられ、前記第１ガイドレールにスライド移動可能に挿入される第２ガイド部材と、
を含んで構成され、
前記第１ガイド部材、前記第２ガイド部材は、それぞれ前記第１スライド部材の表面、前記第２スライド部材の表面に突出形成され、前記縦方向及び前記横方向に延びることを特徴とする移動通信端末機。
【発明の詳細な説明】
【技術分野】
【０００１】
本発明は、スライドモジュールに関し、特に、移動通信端末機に提供された場合に第１本体の第２本体に対する縦方向及び横方向のスライド移動を可能にするスライドモジュール及びこれを用いた移動通端末機に関する。
【背景技術】
【０００２】
図１０は、従来の移動通信端末機用スライドモジュールの正面図である。
図１０に示すように、従来のスライドモジュールは、移動通信端末機の第１本体（図示せず）に固定される第１スライド部材１１０と、前記移動通信端末機の第２本体（図示せず）に固定されて第１スライド部材１１０にスライド移動可能に装着される第２スライド部材１２０とから構成される。
【０００３】
第１スライド部材１１０の横方向（左右方向）の両端部には、縦方向（上下方向）に延びる第１スライドレール１１２がそれぞれ形成され、第２スライド部材１２０には、第１スライドレール１１２に挿入されてこの第１スライドレール１１２に沿って移動する第２スライドレール１２２が形成される。
【０００４】
このように構成されるスライドモジュールは、第１スライド部材１１０が第２スライド部材１２０に対して縦方向にスライド移動し、これにより、移動通信端末機の第１本体が第２本体に対して縦方向にスライド移動することになる。
【発明の開示】
【発明が解決しようとする課題】
【０００５】
しかし、このように構成される従来のスライドモジュールでは、第１スライド部材（すなわち、移動通信端末機の第１本体）が第２スライド部材（移動通信端末機の第２本体）に対して縦方向にしかスライド移動できない。このため、多様な使用態様が要求されつつある移動通信端末機のスライドモジュールとしては、いまだ十分とは言えず、更なる改良の余地がある。
【０００６】
本発明は、このような実情に着目してなされたものであり、その目的は、例えば、移動通信端末機において、その第１本体が第２本体に対して横方向（左右方向）及び縦方向（上下方向）にスライド移動できるようにすることにより、移動通信端末機の多様な使用条件を満たすことができるようにすることを目的とする。
【課題を解決するための手段】
【００１４】
本発明に係るスライドモジュールは、第１スライド部材と、第２スライド部材と、前記第１スライド部材と前記第２スライド部材との間に設けられ、前記第１スライド部材と前記第２スライド部材とを連結するとともに、前記第２スライド部材に対する前記第１スライド部材の縦方向及び横方向のスライド移動をガイドするガイド部と、を含み、前記ガイド部は、前記第１スライド部材に設けられる第１ガイドレールと、前記第２スライド部材に設けられる第２ガイドレールと、前記第１スライド部材に設けられ、前記第２ガイドレールにスライド移動可能に挿入される第１ガイド部材と、前記第２スライド部材に設けられ、前記第１ガイドレールにスライド移動可能に挿入される第２ガイド部材と、を含んで構成され、前記第１ガイド部材、前記第２ガイド部材は、それぞれ前記第１スライド部材の表面、前記第２スライド部材の表面に突出形成され、前記縦方向及び前記横方向に延びる。
【００１５】
本発明に係る移動通信端末機は、第１本体と、第２本体と、前記第１本体を前記第２本体に対してスライド移動可能に連結するスライドモジュールを備え、前記スライドモジュールは、前記第１本体に固定される第１スライド部材と、前記第２本体に固定される第２スライド部材と、前記第１スライド部材と前記第２スライド部材との間に設けられ、前記第１スライド部材と前記第２スライド部材とを連結するとともに、前記第２スライド部材に対する前記第１スライド部材の縦方向及び横方向のスライド移動をガイドするガイド部と、を含む。
【００１６】
ここで、前記ガイド部は、前記第１スライド部材に設けられ、前記縦方向の延びる第１縦レールと前記横方向に延びる第１横レールとを有する第１ガイドレールと、前記第２スライド部材に設けられ、前記縦方向に延びる第２縦レールと前記横方向に延びる第２横レールとを有する第２ガイドレールと、前記第１スライド部材に設けられ、前記第２ガイドレールにスライド移動可能に挿入される第１ガイド部材と、前記第２スライド部材に設けられ、前記第１ガイドレールにスライド移動可能に挿入される第２ガイド部材と、を含んで構成され、前記第１ガイド部材、前記第２ガイド部材は、それぞれ前記第１スライド部材の表面、前記第２スライド部材の表面に突出形成され、前記縦方向及び前記横方向に延びる。
【発明の効果】
【００１７】
本発明に係るスライドモジュールによれば、第１スライド部材が第２スライド部材に対して縦方向及び横方向のそれぞれにスライド移動する。したがって、このスライドモジュールを用いることで、例えば２つの本体を連結させる構成において、一方の本体を他方の本体に対して縦方向及び横方向にスライド移動させることが可能となり、その使用態様を拡張することができる。特に、このようなスライドモジュールを移動通信端末機に適用することにより、移動通信端末機は第１本体を第２本体に対して縦方向及び横方向にスライド移動させて開閉できるので、例えば、その用途に応じて異なった開状態とすることも可能であり、その使用態様を拡張できる
【発明を実施するための最良の形態】
【００１８】
以下、添付図面を参照して本発明の実施形態を説明する。
図１は、本発明を適用した移動通信端末機の第１本体が縦方向（上下方向）にスライド移動した開状態を示す斜視図であり、図２は、本発明を適用した移動通信端末機の第１本体が横方向（左右方向）にスライド移動した開状態を示す斜視図であり、図３は、本発明の第１実施形態に係るスライドモジュールの分解斜視図である。
【００１９】
本実施形態に係る移動通信端末機は、ディスプレイ４を有する第１本体２と、キーパッド８を有する第２本体６と、第１本体２と第２本体６との間に設置されて第１本体２が第２本体６に対して縦方向（上下方向）及び横方向（左右方向）にスライド移動できるように第１本体２と第２本体６とを連結するスライドモジュールと、を含んで構成される。第１本体２が第２本体６に対して縦方向又は横方向にスライド移動することにより、移動通信端末機は第２本体６に設けられたキーパッド８等が露出する「開状態」となり、また、スライド移動させた第１本体２を元に戻すことにより、第２本体６に設けられたキーパッド８等が第１本体２に隠れる「閉状態」となる。
【００２０】
スライドモジュールは、図３に示すように、第１本体２（の裏面）に固定される第１スライド部材１０と、第２本体６（の表面）に固定される第２スライド部材２０と、第１スライド部材１０と第２スライド部材２０との間に設けられ、第１スライド部材１０と第２スライド部材２０とを連結するとともに、第１スライド部材１０が第２スライド部材２０に対して縦方向及び横方向にスライド移動できるようにガイドするガイド部と、を含んで構成される。
【００２１】
第１スライド部材１０はプレート状に形成され、その端部には第１本体２に該第１スライド部材１０をボルト締結等するために利用される締結用孔１２が形成される。第１スライド部材１０は、第１本体２の裏面に装着される。また、第１スライド部材１０の中央には貫通した開口部１６が形成される。
【００２２】
第２スライド部材２０も第１スライド部材１０と同様にプレート状に形成され、その端部には第２本体６に該第２スライド部材２０をボルト締結等するために利用される締結用孔２２が形成される。第２スライド部材２０は、第１スライド部材１０に対向するように配置され、第２本体６の表面（前面）に装着される。また、第２スライド部材２０の中央にも貫通した開口部２６が形成される。
【００２３】
ここで、第２本体６には、第２スライド部材２０の開口部２６に対応する位置に、情報を入力するキー２８又は（第２の）ディスプレイなどを設置することができる。このようにすれば、ユーザーが移動通信端末機を開状態としたときに、第２スライド部材２０に形成された開口部２６を介して第２本体６に設置されたキー２８を操作することができ、又は、（第２の）ディスプレイに表示された情報等を見ることができる。
【００２４】
ガイド部は、第１スライド部材１０と第２スライド部材２０とのそれぞれの表面に縦方向に形成される縦レールと、第１スライド部材１０と第２スライド部材２０とのそれぞれの表面に横方向に形成され、縦レールに接続する横レールと、第１スライド部材１０と第２スライド部材２０とのそれぞれの表面に形成され、縦レール及び横レールに沿ってスライド移動可能に支持されるガイド突起と、を含んで構成される。
【００２５】
前記縦レールは、第１スライド部材１０の横方向の一端側に配置されて縦方向に延びる第１縦レール３０と、第２スライド部材２０の横方向の一端側に配置されて縦方向に延びる第２縦レール３２とから構成される。
【００２６】
ここで、第１縦レール３０と第２縦レール３２とは、第１スライド部材１０の表面と第２スライド部材２０の表面とが対向するように配置された際に、互いに横方向の反対側の端部に配置される。すなわち、第１スライド部材１０と第２スライド部材２０とを対面させると、第１縦レール３０が横方向の一端側（例えば左側）に位置し、第２縦レール３２が横方向の他端側（例えば右側）に位置するようになっている。
【００２７】
このような縦レール３０、３２は、その横方向の両端が第１スライド部材１０、第２スライド部材２０の表面から垂直に所定高さだけ延びた後にその先端部が内側に折り曲げられたような形状を有しており、その内側の空間が、ガイド突起３８、４０が挿入（装着）される挿入路となる。このような形状により、ガイド突起３８、４０は、例えば、縦レール３０、３２の縦方向の端部から該縦レール３０、３２内に挿入（装着）され、挿入（装着）後はガイド突起３８、４０が縦レール３０，３２から離脱することが防止される。
【００２８】
前記横レールは、第１スライド部材１０の縦方向の一端側に配置されて横方向に延びる第１横レール３４と、第２スライド部材２０の縦方向の一端側に配置されて横方向に延びる第２横レール３６とから構成される。
【００２９】
ここで、第１横レール３４と第２横レール３６とは、第１スライド部材１０の表面と第２スライド部材２０の表面とが対向するように配置された際に、互いに縦方向の反対側の端部に配置される。すなわち、第１スライド部材１０と第２スライド部材２０とを対面させると、第１横レール３４が縦方向の一端側（例えば上側）に位置し、第２横レール３６が縦方向の他端側（例えば下側）に位置するようになっている。
【００３０】
このような横レール３４、３６は、縦レール３０、３２とほぼ同一形態に（その断面形状が同一に）形成されており、また、第１スライド部材１０、第２スライド部材２０の表面において、縦レール３０、３２のそれぞれに接続される。つまり、第１スライド部材１０には、第１縦レール３０及び第１横レール３４によって、その縁部近傍にＬ字状の（第１）ガイドレールが形成されることになり、第２スライド部材２０には、第２縦レール３２及び第２横レール３６によって、その縁部近傍に同じくＬ字状の（第２）ガイドレールが形成されることになる。
【００３１】
前記ガイド突起は、第１スライド部材１０の表面（図では矩形状の第１スライド部材２０の角部）から突出し、第２スライド部材２０に形成された第２縦レール３２及び第２横レール３６にスライド移動可能に支持される第１ガイド突起３８と、第２スライド部材２０の表面（図では第１スライド部材１０と同様の矩形状の第２スライド部材２０の角部）から突出し、第１スライド部材１０に形成された第１縦レール３０及び第１横レール３４にスライド移動可能に支持される第２ガイド突起４０とから構成される。より詳しく説明すると、第１ガイド突起３８は、第１スライド部材１０の表面に突出形成され、第１スライド部材１０の表面と第２スライド部材２０の表面とが対向するように配置された際に、第２スライド部材２０における第２縦レール３２と第２横レール３６との接続部に位置するように設けられている。また、同様に、第２ガイド突起４０は、第２スライド部材２０の表面に突出形成され、第１スライド部材１０の表面と第２スライド部材２０の表面とが対向するように配置された際に、第１スライド部材１０における第１縦レール３０と第１横レール３４との接続部に位置するように設けられている。
【００３２】
ここで、図に示すように、第１スライド部材１０及び第２スライド部材２０が矩形状のものであるときには、第１スライド部材１０の表面において、第１縦レール３０、第１横レール３４はそれぞれ第１スライド部材１０の長辺、短辺に沿って設けられ、第１ガイド突起３８は、第１縦レール３０、第１横レール３４のない側の角部付近に設けられる。また、第２スライド部材２０の表面において、第２縦レール３２、第２横レール３６はそれぞれ第２スライド部材２０の長辺、短辺に沿って設けられ、第２ガイド突起４０は、第２縦レール３２、第２横レール３６のない側の角部付近に設けられる。そして、第１スライド部材１０（の表面）と第２スライド部材２０（の表面）とが対向するように配置されると、２つのＬ字状のガイドレールが合わさってガイドレール全体としてはほぼ矩形状をなし、第１ガイド突起３８と第２ガイド突起４０とは、その略矩形状をなすガイドレールの対角線上に配置されることになる。
【００３３】
このようなガイド突起３８、４０は、その側面が第１スライド部材１０、第２スライド部材２０の表面に対してほぼ垂直となる四角柱状に形成される。そして、縦レール３０、３２及び横レール３４、３６に挿入され、これに沿ってスライド移動するときには、ガイド突起３８、４０の側面が各レール３０、３２、３４、３６の内壁面に接触した状態でスライド移動する。これにより、スライド移動時における第１スライド部材１０と第２スライド部材２０との捩れ等を防止する。したがって、例えば各レールの挿入路の幅が等しい場合には、ガイド突起３８、４９は、ほぼ正四角柱状に形成されることになる。
ここで、第１縦レール３０、第１横レール３４及びガイド突起３８は、樹脂等によって第１スライド部材１０と一体的に形成されていてもよいし、別部材で構成してもよい。同様に、第２縦レール３２、第２横レール３６及びガイド突起４０は、樹脂等によって第２スライド部材２０に一体的に形成されていてもよいし、別部材で構成してもよい。また、各レール３０、３２、３４、３６及び／又はガイド突起３８、４０は摺動性を有する材質（例えば、樹脂であればＰＯＭ）で形成されるのが好ましい。
【００３４】
以上のように構成されるスライドモジュールの作用について説明する。なお、このスライドモジュールの動作が、第１本体と第２本体とを有する移動通信端末機の開閉動作に相当することはもちろんである。
【００３５】
図４は、上記構成のスライドモジュールが縦方向にスライド移動した状態を示す斜視図であり、図５は、図４のＡ‐Ａ断面図であり、図６は、上記構成のスライドモジュールが横方向にスライド移動した状態を示す斜視図である。
【００３６】
第１スライド部材１０と第２スライド部材２０の組み立て工程は次のとおりである。ここで、第１スライド部材１０は移動通信端末機の一方の本体である第１本体に取り付けられ、第２スライド部材２０は移動通信端末機の他方の本体である第２本体に取り付けられる。図４、図５に示すように、第２スライド部材２０に形成された第２ガイド突起４０を第１スライド部材１０に形成された第１縦レール３０に、第１スライド部材１０に形成された第１ガイド突起３８を第２スライド部材２０に形成された第２縦レール３２に、それぞれ開放端から挿入する。なお、第１ガイド突起３８を第２横レール３６に、第２ガイド突起４０を第１横レール３４に挿入するようにしてもよい。
【００３７】
そして、第１、２ガイド突起３８、４０をそれぞれ第２縦レール３２、第１縦レール３０に沿って、すなわち、第１スライド部材１０を第２スライド部材２０に対して縦方向にスライド移動させて第１スライド部材１０と第２スライド部材２０とがぴったりと重なる状態（両スライド部材の表面同士を対向させた状態）とする。この状態が初期位置、すなわち、第１スライド部材１０が第２スライド部材２０に対してスライド移動していない状態（移動通信端末機の閉状態）となる。この状態においては、第１ガイド突起３８は、第２縦レール３２と第２横レール３６との接続部に、第２ガイド突起４０は、第１縦レール３０と第１横レール３４との接続部に位置することになり、第１ガイド突起２８は、第２縦レール３２と第２横レール３６のいずれに沿ってもスライド移動でき、第２ガイド突起４０は、第１縦レール３０と第１横レール３６のいずれに沿ってもスライド移動できる。
【００３８】
このように組み立てられた状態で第１スライド部材１０が第２スライド部材２０に対して相対的に縦方向にスライド移動するときには、第１縦レール３０に沿って第２ガイド突起４０がスライド移動し、第２縦レール３２に沿って第１ガイド突起３８がスライド移動する。これにより、第１スライド部材１０の縦方向のスライド移動が（ガイド部によって）ガイドされる。
【００３９】
また、第１スライド部材１０が第２スライド部材２０に対して相対的に横方向にスライド移動するときには、第１横レール３４に沿って第２ガイド突起４０がスライド移動し、第２横レール３６に沿って第１ガイド突起３８がスライド移動する。これにより、第１スライド部材１０の横方向のスライド移動が（ガイド部によって）ガイドされる。
【００４０】
このように、本実施形態に係るガイド部は、一対の縦レール３０，３２、一対の横レール３４，３６及び一対のガイド突起３８、４０で構成されているので、スライド移動の際のガタツキなどが防止され、より安全かつ正確に第１スライド部材１０がスライド移動することができる。
【００４１】
図７は、本発明の第２実施形態に係るスライドモジュールの分解斜視図である。
【００４２】
第２実施形態に係るスライドモジュールは、移動通信端末機の第１本体２に固定される第１スライド部材５０と、移動通信端末機の第２本体６に固定される第２スライド部材６０と、前記第１スライド部材５０と第２スライド部材６０との間に設けられ、第１スライド部材５０と第２スライド部材６０とを連結するともに、第１スライド部材５０が第２スライド部材６０に対して縦方向及び横方向にスライド移動できるようにガイドするガイド部と、を含んで構成される。
【００４３】
ガイド部は、第１スライド部材５０に形成される第１ガイドレール５２と、第２スライド部材６０に形成される第２ガイドレール６２と、第１スライド部材５０に形成されて第２ガイドレール６２にスライド移動可能に挿入される第１ガイド部材７０と、第２スライド部材６０に形成されて第１ガイドレール５２にスライド移動可能に挿入される第２ガイド部材８０とを含んで構成される。
【００４４】
第１ガイドレール５２は、第１スライド部材５０の縦方向の端部に形成され、横方向に延びる横レール５６と、第１スライド部材５０の横方向の端部に形成され、縦方向に延びる縦レール５４とから構成される。ここでは、図に示すように、この縦レール５４と横レール５６とが一体的に接続されて、第１ガイドレール５２はＬ字状をなしている。
【００４５】
このような第１ガイドレール５２は、例えば、矩形状の第１スライド部材５０の隣接する２つの端部を直角に折り曲げ、さらに第１スライド部材５０の面から所定の高さの位置で内側に直角に折り曲げることで形成される。
【００４６】
第２ガイドレール６２は、第２スライド部材６０の縦方向の端部に形成され、横方向に延びる横レール６６と、第２スライド部材６０の横方向の端部に形成され、縦方向に延びる縦レール６４とから構成される。このような第２ガイドレール６２は、第１ガイドレール５２とほぼ同一形態に形成される。但し、後述するように、支持突起８６が通過する通路８８が形成されてＬ字状のガイドレールが中断されており、この点が相違している。
【００４７】
第１ガイド部材７０は、第１スライド部材５０の表面から垂直に突出し、その端部が第１スライド部材５０の端部方向に直角に折り曲げられる形態に形成される。
【００４８】
このような第１ガイド部材７０は、第１スライド部材５０の横方向に延びる横部材７４と、縦方向に延びて横部材７４の端部に接続する縦部材７２とから構成される。
【００４９】
第２ガイド部材８０は、第２スライド部材６０において、横方向に延びる横部材８４と、縦方向に延びて横部材８４の端部に接続する縦部材８２とから構成される。
【００５０】
このような第２ガイド部材８０は、第１ガイド部材７０とほぼ同一形態に形成される。
【００５１】
また、第１スライド部材５０には、第１スライド部材５０が第２スライド部材６０に対して横方向にスライド移動するときに、第１スライド部材５０が縦方向に移動するのを防止する支持突起８６が形成される。
【００５２】
この支持突起８６は、第１スライド部材５０において、縦部材７２と横部材７４との接続部から縦部材７２を延長させた方向に所定間隔をおいた位置に突出し、第１スライド部材５０が横方向にスライド移動するときに、第２スライド部材６０の横レール６６の外側面に接触する。これにより、第１スライド部材５０が横方向にスライド移動しているときに、第１スライド部材５０が縦方向に移動してしまうのを防止する。
【００５３】
このような支持突起８６は、前記第１スライド部材５０において、縦部材７２と一直線上に配置される。
【００５４】
第２スライド部材６０の横レール６６には、第１スライド部材５０が縦方向にスライド移動するときに、支持突起８６が通過する通路８８が設けられる。
なお、第１ガイドレール５２、第１ガイド部材７０及び支持突起８６は、第１スライド部材５０と一体的に形成されてもよいし、別部材で構成されてもよい。また、同様に、第２ガイドレール６２、第２ガイド部材８０は、第２スライド部材６０と一体的に形成されてもよいし、別部材で構成されてもよい。
【００５５】
このように構成される本発明の第２実施形態によるスライドモジュールの作用を説明する。
【００５６】
図８は、本発明の第２実施形態によるスライドモジュールが縦方向にスライド移動した状態を示す斜視図であり、図９は、本発明の第２実施形態によるスライドモジュールが横方向にスライド移動した状態を示す斜視図である。
【００５７】
まず、第１スライド部材５０が第２スライド部材６０に対して相対的に縦方向に移動するときには、第１ガイドレール５２の縦レール５４が第２ガイド部材８０の縦部材８２に支持された状態でスライド移動し、第２ガイドレール６２の縦レール６４が第１ガイド部材７０の縦部材７２に支持された状態でスライド移動する。これにより、第１スライド部材５０の第２スライド部材６０に対する縦方向のスライド移動がガイド部によってガイドされる。
【００５８】
また、第１スライド部材５０が第２スライド部材６０に対して相対的に横方向に移動するときには、第１ガイドレール５２の横レール５６が第２ガイド部材８０の横部材８４に沿ってスライド移動し、第１ガイド部材７０の横部材７４が第２ガイドレール６２の横レール６６に沿ってスライド移動する。ここで、支持突起８６が第２スライド部材６０の横レール６６の外側面に支持されて第２スライド部材６０が縦方向に移動するのを防止する。これにより、第１スライド部材の第２スライド部材６０に対する横方向のスライド移動がガイド部によってガイドされる。
【図面の簡単な説明】
【００５９】
【図１】本発明の第１実施形態に係る移動通信端末機が縦方向に移動した状態を示す斜視図である。
【図２】本発明の第１実施形態に係る移動通信端末機が横方向に移動した状態を示す斜視図である。
【図３】本発明の第１実施形態に係るスライドモジュールの分解斜視図である。
【図４】本発明の第１実施形態に係るスライドモジュールが縦方向に移動した状態を示す斜視図である。
【図５】図４のＡ‐Ａ断面図である。
【図６】本発明の第１実施形態に係るスライドモジュールが横方向に移動した状態を示す斜視図である。
【図７】本発明の第２実施形態に係るスライドモジュールの分解斜視図である。
【図８】本発明の第２実施形態に係るスライドモジュールが縦方向に移動した状態を示す斜視図である。
【図９】本発明の第２実施形態に係るスライドモジュールが横方向に移動した状態を示す斜視図である。
【図１０】従来の移動通信端末機用スライドモジュールの正面図である。
【符号の説明】
【００６０】
２：第１本体                   
６：第２本体
１０：第１スライド部材
２０：第２スライド部材
３０：第１縦レール 
３２：第２縦レール
３４：第１横レール 
３６：第２横レール
３８：第１ガイド突起      
４０：第２ガイド突起
【図１】
0004611265.tif 000002
【図２】
0004611265.tif 000003
【図３】
0004611265.tif 000004
【図４】
0004611265.tif 000005
【図５】
0004611265.tif 000006
【図６】
0004611265.tif 000007
【図７】
0004611265.tif 000008
【図８】
0004611265.tif 000009
【図９】
0004611265.tif 000010
【図１０】
0004611265.tif 000011